(57)【要約】【課題】基準周波数を変更したときでもその基準周波数による描画開始位置と同じ描画開始位置に描画開始位置を自動的に設定できる描画装置を提供する。【解決手段】本発明の描画装置は、光ビーム走査手段６と、描画クロック生成手段２と、描画データ出力手段５と、トリガ信号検出手段３と、遅延サイクル数設定手段４と、固有遅延サイクル数設定手段１０と、描画クロック信号の個数をカウントしかつカウントアップ後に描画データ出力手段に描画データを出力させるビーム遅延制御手段７と、描画クロック信号の基準周波数情報を設定する基準周波数情報設定手段８と、基準周波数のときに基準描画開始位置に描画するための遅延サイクル数を設定する基準遅延サイクル数設定手段１１と、基準周波数を変更したときに変更後の周波数を動作周波数情報として設定する動作周波数情報設定手段９とを備え、遅延サイクル数設定手段４は、周波数を変更した時に遅延サイクル数を補正する。【選択図】  図１
2015058560.tif 000002
【特許請求の範囲】
【請求項１】
光ビームにより被走査対象を走査する走査手段に対してクロック信号を利用して前記光ビームの走査開始位置を調整する描画装置であって、
前記光ビームの走査開始を示すトリガ信号から所定期間遅延させることで被走査対象上の走査開始位置を調整するための遅延サイクル数を設定する遅延サイクル数設定手段と、
前記トリガ信号と前記遅延サイクル数信号と前記クロック信号とに基づいて前記走査手段の走査開始位置を設定するビーム遅延制御手段と、前記設定された走査開始位置となるように前記走査手段に向けてデータを出力する描画データ出力手段とを有し、
前記遅延サイクル数設定手段は、前記クロック信号の基準周波数情報を設定する基準周波数情報設定手段からの基準周波数と、前記基準周波数を変更した後の周波数である動作周波数との比に応じて、前記基準周波数のときに基準描画開始位置に描画するための遅延サイクル数を補正することを特徴とする描画装置。
【請求項２】
前記遅延サイクル数設定手段は、さらに、前記描画装置が搭載されるシステム固有の遅延固有サイクル数を設定する固有遅延サイクル数に基づいて遅延サイクル数を補正することを特徴とする請求項１に記載の描画装置。
【請求項３】
前記動作周波数情報設定手段による設定後に、前記動作周波数に応じて遅延サイクル数を補正する遅延調整サイクル数設定手段を更に有していることを特徴とする請求項１又は請求項２に記載の描画装置。
【請求項４】
複数個の光ビームにより被走査対象を走査する走査手段と、走査方向に配列された画素データにより描画データを生成するために描画クロック信号を出力する描画クロック生成手段と、該描画クロック信号がそれぞれ入力されて描画データを前記走査手段に向けてそれぞれ出力する複数個の描画データ出力手段と、前記光ビームの走査開始位置を検出して前記描画クロック信号の個数をカウントするためのトリガ信号を出力するトリガ信号検出手段と、前記トリガ信号による描画開始位置を調整するための遅延サイクル数を設定する遅延サイクル数設定手段と、前記トリガ信号と前記遅延サイクル信号と前記描画クロック信号とが入力されて該描画クロック信号の個数をカウントしかつカウントアップ後に前記各描画データ出力手段に描画データを出力させる複数個のビーム遅延制御手段と、
前記描画クロック信号の基準周波数情報を設定する基準周波数情報設定手段と、
描画装置に固有の固有遅延サイクル数を設定する固有遅延サイクル数設定手段と、
基準周波数のときに各光ビームをそれぞれ基準描画開始位置に描画するための遅延サイクル数をそれぞれ設定する複数個の基準遅延サイクル数設定手段と、
基準周波数を変更したときに変更後の周波数を動作周波数情報として設定する動作周波数情報設定手段とを備え、
前記遅延サイクル数設定手段は、基準周波数を変更した時に前記遅延サイクル数をそれぞれ同時に補正する補正演算部を有していることを特徴とする描画装置。
【請求項５】
複数個の光ビームにより被走査対象を走査する走査手段と、走査方向に配列された画素データにより描画データを生成するために各光ビームに対応する描画クロック信号を出力する描画クロック生成手段と、該各描画クロック信号がそれぞれ入力されて各描画データを前記走査手段に向けてそれぞれ出力する複数個の描画データ出力手段と、前記光ビームの走査開始位置を検出して前記描画クロック信号の個数をカウントするためのトリガ信号を出力するトリガ信号検出手段と、前記トリガ信号による描画開始位置を調整するための遅延サイクル数を設定する遅延サイクル数設定手段と、前記トリガ信号と前記遅延サイクル信号と前記描画クロック信号とが入力されて該描画クロック信号の個数をカウントしかつカウントアップ後に前記各描画データ出力手段に描画データを出力させる複数個のビーム遅延制御手段と、
前記各描画クロック信号の各基準周波数情報を設定する複数個の基準周波数情報設定手段と、
描画装置に固有の固有遅延サイクル数を設定する固有遅延サイクル数設定手段と、
各基準周波数のときに各光ビームをそれぞれ基準描画開始位置に描画するための遅延サイクル数をそれぞれ設定する複数個の基準遅延サイクル数設定手段と、
各基準周波数を変更したときに変更後の各周波数を各動作周波数情報として設定する複数個の動作周波数情報設定手段とを備え、
前記各遅延サイクル数設定手段は、各基準周波数の変更に応じて前記各遅延サイクル数を補正する補正演算部を有していることを特徴とする描画装置。
【請求項６】
前記ビーム遅延調整サイクル数設定手段が、各光ビームに対応してそれぞれ設けられていることを特徴とする請求項４又は請求項５に記載の描画装置。
【発明の詳細な説明】
【技術分野】
【０００１】
本発明は、描画位置の調整制御を行うことが可能な描画装置の改良に関する。
【背景技術】
【０００２】
従来から、光ビームを発生する光源部と、光ビーム偏向手段としてのポリゴンミラー、ｆθレンズ等からなる走査光学系（走査手段）とを備えた描画装置が知られている。
このものでは、光源部から出射された光ビームの走査により被走査対象としての感光体ドラムの表面に画像が描画される。
【０００３】
この種の描画装置では、走査光学系による光ビームの走査の際に走査歪みが生じるために、描画開始位置がずれ、その結果、被走査対象に画像を描画する際に、描画の歪が生じる。
【０００４】
そこで、この描画位置の調整制御を行う各種の技術が提案されている（特許文献１参照、特許文献２参照、特許文献３参照、特許文献４参照）。
この種の描画装置では、走査方向に対応して配列された画素データにより描画データを生成するために基準周波数の描画クロック信号を出力する描画クロック生成手段と、描画クロック信号が入力されてかつ光源部を発光制御する描画データを光源部に向けて出力する描画データ出力手段と、描画エリア外で光ビームの走査開始位置を検出して描画クロック信号の個数をカウントするためのトリガ信号を出力するトリガ信号検出手段と、トリガ信号による描画開始位置を調整するために描画開始位置を遅延させるための遅延サイクル数を設定する遅延サイクル数設定手段と、トリガ信号と遅延サイクル信号と描画クロック信号とが入力されて描画クロック信号の個数をカウントし、カウントアップ後に描画データ出力手段に描画データを出力させるビーム遅延制御手段とを備える構成が一般的である。
【発明の概要】
【発明が解決しようとする課題】
【０００５】
この種の描画装置によれば、トリガ信号が入力された時点から描画が開始される時点までの間、描画クロック信号をカウントすることにより、被走査対象における描画開始位置を調整でき、被走査対象に画像を描画する際の描画歪を電気回路的に補正できる。
【０００６】
しかしながら、描画装置では、描画長の調整等を行うことがある。この描画長の調整等のために、描画クロック生成手段の描画クロック信号の基準周波数を変更し、画素の形成速度を変更すると、被走査対象における描画位置がずれる。
【０００７】
本発明は、上記の事情に鑑みて為されたもので、基準周波数を変更したときでもその基準周波数による描画開始位置と同じ描画開始位置に自動的に設定することが可能な描画装置を提供することにある。
【課題を解決するための手段】
【０００８】
本発明は、光ビームにより被走査対象を走査する走査手段に対してクロック信号を利用して前記光ビームの走査開始位置を調整する描画装置であって、
前記光ビームの走査開始を示すトリガ信号から所定期間遅延させることで被走査対象上の走査開始位置を調整するための遅延サイクル数を設定する遅延サイクル数設定手段と、
前記トリガ信号と前記遅延サイクル数信号と前記クロック信号とに基づいて前記走査手段の走査開始位置を設定するビーム遅延制御手段と、前記設定された走査開始位置となるように前記走査手段に向けてデータを出力する描画データ出力手段とを有し、
前記遅延サイクル数設定手段は、前記クロック信号の基準周波数情報を設定する基準周波数情報設定手段からの基準周波数と、前記基準周波数を変更した後の周波数である動作周波数との比に応じて、前記基準周波数のときに基準描画開始位置に描画するための遅延サイクル数を補正することを特徴とする。
【発明の効果】
【０００９】
本発明によれば、基準周波数を変更したときでもその基準周波数による描画開始位置と同じ描画開始位置に描画開始位置を自動的に設定することができる。
【図面の簡単な説明】
【００１０】
【図１】図１は本発明の実施例１に係る描画装置のブロック回路図である。
【図２】図２は図１に示す遅延サイクル数設定手段とビーム遅延制御手段との内部構成を示すブロック回路図である。
【図３】図３は本発明の実施例１に係る描画装置の作用を説明するためのタイミングチャート図である。
【図４】図４は本発明の実施例２に係る描画装置のブロック回路図である。
【図５】図５は図４に示す遅延サイクル数設定手段とビーム遅延制御手段との内部構成を示すブロック回路図である。
【図６】図６は本発明の実施例３に係る描画装置のブロック回路図である。
【図７】図７は図６に示す遅延サイクル数設定手段とビーム遅延制御手段との内部構成を示すブロック回路図である。
【図８】図８は本発明の実施例４に係る描画装置のブロック回路図である。
【図９】図９は図８に示す遅延サイクル数設定手段とビーム遅延制御手段との内部構成を示すブロック回路図である。
【図１０】図１０は本発明の実施例５に係る遅延サイクル数設定手段とビーム遅延制御手段との内部構成を示すブロック回路図である。
【発明を実施するための形態】
【実施例】
【００１１】
（実施例１）
本発明の描画装置に係る実施例１について図１ないし図３を参照しつつ説明する。
その図１は、本発明に係る描画装置の構成要素をブロック図として示している。
この描画装置は、光ビームを照射する光源部（図示を略す）と、この光ビームにより走査される被走査対象としての感光体ドラム１とを備えている。
【００１２】
その描画装置は、描画クロック生成手段２、トリガ信号検出手段３、遅延サイクル数設定手段４、描画データ出力手段５、光ビーム走査手段６、ビーム遅延制御手段７を有する。
【００１３】
その描画クロック生成手段２は、走査方向に対応して配列された画素データにより描画データを生成するために基準周波数の描画クロック信号Ｓ１を出力する。
トリガ信号検出手段３は、描画エリア外で光ビームの走査開始位置を検出して描画クロック信号の個数をカウントするためのトリガ信号Ｓ２を出力する。
【００１４】
遅延サイクル数設定手段４は、トリガ信号Ｓ２による描画開始位置を調整するために描画開始位置を遅延させる遅延サイクル数を設定する遅延信号Ｓ３を出力する。
描画データ出力手段５は、描画クロック信号Ｓ１と後述する描画開始信号Ｓ４とが入力されて光源部（図示を略す）を発光制御する描画データを光源部（図示を略す）に向けて出力する。
【００１５】
ビーム遅延制御手段７には、トリガ信号Ｓ２と遅延サイクル信号Ｓ３と描画クロック信号Ｓ１とが入力されている。ビーム遅延制御手段７は、描画クロック信号Ｓ１の個数をカウントし、カウントアップ後に描画データ出力手段５に描画データを出力させるための描画開始信号Ｓ４を出力する。
【００１６】
その描画データ出力手段５の出力により、光源部（図示を略す）が描画データに応じて発光制御され、光ビーム走査手段６により感光体ドラム１が走査されて、感光体ドラム１の表面に画像が描画される。
【００１７】
遅延サイクル数設定手段４には、基準周波数Ｆ１の情報を設定記憶する基準周波数情報設定手段８、基準周波数Ｆ１を変更したときに変更後の周波数を動作周波数Ｆ２の情報として設定記憶する動作周波数情報設定手段９、描画装置に固有の固有遅延サイクル数ｄ０を設定する固有遅延サイクル数設定手段１０、基準周波数Ｆ１のときに基準位置に描画するための遅延サイクル数ｄ１を設定する基準遅延サイクル数設定手段１１が接続されている。
その描画装置に固有の遅延サイクル数ｄ０は、あらかじめ計算又は測定により求められる。遅延サイクル数ｄ１は基準遅延サイクル数設定手段１１の設定値を調整しながら設定される。
【００１８】
遅延サイクル数設定手段４は、図２に示すように、基準周波数Ｆ１を変更した時に固有遅延サイクル数ｄ０の影響を含めて遅延サイクル数ｄ１を補正する補正演算部４’を備えている。
その補正演算部４’は、下記の補正演算式に基づいて演算を行い、その演算結果に基づいて遅延サイクル信号Ｓ３をビーム遅延制御手段７に向けて出力する。
【００１９】
基準周波数Ｆ１から動作周波数Ｆ２に変更したときに、基準周波数Ｆ１のときの描画開始位置と同じ描画開始位置から描画を開始させるものとして、動作周波数Ｆ２に周波数を変更したときの補正後の遅延サイクル数をＤとすると、トリガ信号Ｓ２が入力されてから描画を開始させるまでの遅延時間τ、τ’は、
τ＝τ’＝（ｄ０＋ｄ１）×（１/Ｆ１）＝（ｄ０＋Ｄ）×（１/Ｆ２）
である。
【００２０】
従って、補正後の遅延サイクル数Ｄは、
Ｄ＝（ｄ０＋ｄ１）×（Ｆ２/Ｆ１）-ｄ０
ビーム遅延制御手段７は、図２に示すように、リロードレジスタ７ａと、遅延カウンタ７ｂとを有する。補正後の遅延サイクル数Ｄは、遅延サイクル信号Ｓ３としてリロードレジスタ７ａに書き込まれる。
【００２１】
遅延カウンタ７ｂには、描画クロック信号Ｓ１と、トリガ信号Ｓ２と、遅延サイクル信号Ｓ３とが入力され、トリガ信号Ｓ２が入力された時点から遅延カウンタ７ｂが遅延サイクル数Ｄと同数個の描画クロック信号Ｓ１をカウントすると、ビーム遅延制御手段７は、描画開始信号Ｓ４を描画データ出力手段５に向かって出力する。
【００２２】
以下に、その作用の詳細を説明する。
（基準周波数Ｆ１が設定されているとき）
ここでは、光ビーム走査手段６は、ポリゴンミラー（図示を略す）を有するものとして説明する。ポリゴンミラーの一回転を描画エリア外で検出する検出センサ（図示を略す）からの出力ＨＳＩＮＣによりトリガ信号Ｓ２が図３（ａ）に示すように出力される。すると、ビーム遅延制御手段７は、図３（ｂ）に示すように、基準遅延サイクル数ｄ１と固有遅延サイクル数ｄ０との和に対応する遅延時間分、描画データの開始時間を遅延させる。
【００２３】
これにより、感光体ドラム１に対する描画が行われ、走査光学系による光ビームの走査の際に走査歪みが解消される。なお、遅延カウンタ７ｂには、描画開始信号Ｓ４の出力後、基準遅延サイクル数ｄ１と固有遅延サイクル数ｄ０との和からなる遅延サイクル数Ｄが再設定される。
【００２４】
（基準周波数Ｆ１から動作周波数Ｆ２に変更したとき）
描画装置に、例えば、光ビーム走査手段６に個体差や、描画装置に固有の特性のために周波数を変えることによる遅延が存在すると、基準周波数Ｆ１から動作周波数Ｆ２に変更したとき、図３（ｃ）に示すように、動作周波数Ｆ２に設定したときの描画開始位置が基準周波数Ｆ１に設定したときの描画開始位置と同じとはならない。
すなわち、システム構成上の制約や、ユニットの個体差によって固有の遅延が含まれると、単純な周波数換算では、遅延サイクル数に誤差が生じ、期待する位置に描画開始位置を調整設定できない。
【００２５】
しかしながら、この実施例１によれば、基準周波数Ｆ１から動作周波数Ｆ２に変更したとき、遅延サイクル数設定手段４は、補正演算式に基づいて、補正後の遅延サイクル数Ｄを算出し、この補正後の遅延サイクル数Ｄがリロードレジスタ７ａに自動的に設定される。
【００２６】
その結果、動作周波数Ｆ２に設定したときにトリガ信号Ｓ２を検出したときから描画開始データを出力させるまでの遅延時間τ’を、基準周波数Ｆ１に設定されているときのトリガ信号Ｓ２を検出したときから描画開始データを出力させるまでの遅延時間τと同じとすることができる。すなわち、図３（ｄ）に示すように、基準周波数を変更したときでもその基準周波数による描画開始位置と同じ描画開始位置に描画開始位置を自動的に設定することができる。
【００２７】
なお、基準周波数Ｆ１を動作周波数Ｆ２に変更すると、感光体ドラム１に形成される画素のピッチ間隔が変化する。従って、画素ピッチに対応する変倍率データ、描画長データを動作周波数情報として用いることができる。
【００２８】
（実施例２）
この実施例２では、動作周波数情報設定手段９により設定された動作周波数Ｆ２で動作しているときに、図４、図５に示すように、動作周波数Ｆ２に応じて遅延サイクル数Ｄを調整する遅延調整サイクル数設定手段１２を更に有している。
【００２９】
実施例１では、動作周波数Ｆ２に設定したときにトリガ信号Ｓ２を検出したときから描画開始データを出力させるまでの遅延時間τ’を、基準周波数Ｆ１に設定されているときにトリガ信号Ｓ２を検出したときから描画開始データを出力させるまでの遅延時間τと同じに設定することができる。
【００３０】
しかし、このような構成とすると、動作周波数Ｆ２のときの遅延時間τ’が基準周波数Ｆ１に設定したときの遅延時間τと常に自動的に同じとなるため、遅延時間τ’の調整ができない。
【００３１】
そこで、この実施例２では、遅延調整サイクル数設定手段１２に遅延調整サイクル数ｄ２を設定し、遅延サイクル数Ｄを下記演算式により求めることにした。
Ｄ＝（ｄ０＋ｄ１）×（Ｆ２/Ｆ１）-ｄ０＋ｄ２
その他の構成は、実施例１と同様であるので、実施例１の構成要素と同一構成要素に同一符号を付して、その詳細な説明を省略する。
【００３２】
この実施例２によれば、遅延調整サイクル数ｄ２を「０」に設定すると、実施例１と同一の演算式となり、実施例１と同様に、基準周波数Ｆ１を変更したときでもその基準周波数Ｆ１による描画開始位置と同じ描画開始位置に描画開始位置を自動的に設定することができる。
【００３３】
また、遅延調整サイクル数ｄ２を「０」以外に設定すると、Ｄ＝（ｄ０＋ｄ１）×（Ｆ２/Ｆ１）-ｄ０＋ｄ２の演算式により得られた遅延サイクル数Ｄがリロードレジスタ７ａに設定される。また、遅延カウンタ７ｂにより、描画クロック信号Ｓ１の個数がカウントアップされる。従って、この実施例２によれば、基準周波数Ｆ１の変更後でも、回路を大幅に変更追加することなく、描画開始位置を微調整することができる。
【００３４】
図６、図７は、本発明の描画装置に係る実施例３についての説明図であって、マルチ光ビームを利用して感光体ドラム１に描画する描画装置に本発明を適用した例を示すブロック図である。
【００３５】
この実施例３では、４本のマルチ光ビームにより感光体ドラム１に描画する場合の遅延補正について説明する。なお、説明の便宜のため、４本の光ビームをビーム１ないしビーム４と略して説明する。
【００３６】
描画装置は、実施例１と同様に、描画クロック生成手段２、トリガ信号検出手段３、遅延サイクル数設定手段４、描画データ出力手段５、光ビーム走査手段６、ビーム遅延制御手段７を有する。
【００３７】
描画データ出力手段５は、ビーム１に対応する描画データを出力する描画データ１出力手段５ａ、ビーム２に対応する描画データを出力する描画データ２出力手段５ｂ、ビーム３に対応する描画データを出力する描画データ３出力手段５ｃ、ビーム４に対応する描画データを出力する描画データ４出力手段５ｄからなる。
【００３８】
ビーム遅延制御手段７は、ビーム遅延制御手段７１ないしビーム遅延制御手段７４を有する。ビーム遅延制御手段７１ないしビーム遅延制御手段７４には、トリガ信号Ｓ２と遅延サイクル信号Ｓ３と描画クロック信号Ｓ１とが入力されている。
【００３９】
ビーム遅延制御手段７１は、描画クロック信号Ｓ１の個数をカウントし、カウントアップ後に描画データ１出力手段５ａに描画データを出力させるための描画開始信号Ｓ４１を出力する。ビーム遅延制御手段７２は、描画クロック信号Ｓ１の個数をカウントし、カウントアップ後に描画データ２出力手段５ｂに描画データを出力させるための描画開始信号Ｓ４２を出力する。
【００４０】
ビーム遅延制御手段７３は、描画クロック信号Ｓ１の個数をカウントし、カウントアップ後に描画データ３出力手段５ｃに描画データを出力させるための描画開始信号Ｓ４３を出力する。ビーム遅延制御手段７４は、描画クロック信号Ｓ１の個数をカウントし、カウントアップ後に描画データ４出力手段５ｄに描画データを出力させるための描画開始信号Ｓ４４を出力する。
【００４１】
遅延サイクル数設定手段４は、基準周波数情報設定手段８、動作周波数情報設定手段９、固有遅延サイクル数設定手段１０、遅延調整サイクル数設定手段１２、ビーム１基準遅延サイクル数設定手段１３、ビーム２基準遅延調整サイクル数設定手段１４、ビーム３基準遅延サイクル数設定手段１５、ビーム４基準遅延サイクル数設定手段１６を有する。
【００４２】
基準周波数情報設定手段８は、実施例１と同様に基準周波数Ｆ１に関する情報を記憶設定している。動作周波数情報設定手段９は、実施例１と同様に動作周波数Ｆ２に関する情報を記憶設定している。固有遅延サイクル数設定手段１０は、実施例１と同様に描画装置に固有の固有遅延サイクル数ｄ０を設定記憶する。遅延調整サイクル数設定手段１２は、初期調整時には遅延調整サイクル数ｄ２として０が設定される。
【００４３】
ビーム１基準遅延サイクル数設定手段１３は、基準周波数Ｆ１のときにビーム１を基準位置に描画するための遅延サイクル数ｄ１１を設定記憶する。ビーム２基準調整サイクル数設定手段１４は、基準周波数Ｆ１のときにビーム２を基準位置に描画するための遅延サイクル数ｄ１２を設定記憶する。
【００４４】
ビーム３基準遅延サイクル数設定手段１５は、基準周波数Ｆ１のときにビーム３を基準位置に描画するための遅延サイクル数ｄ１３を設定記憶する。
ビーム４基準遅延サイクル数設定手段１６は、基準周波数Ｆ１のときにビーム４を基準位置に描画するための遅延サイクル数ｄ１３を設定記憶する。これらの調整によりビーム１〜ビーム４の描画開始位置が適正位置に調整される。
【００４５】
遅延サイクル数設定手段４は、図７に示すように、補正演算部４ａ、補正演算部４ｂ、補正演算部４ｃ、補正演算部４ｄを有する。ビーム遅延制御手段７１は、リロードレジスタ７１ａと遅延カウンタ７１ｂとを有する。
【００４６】
ビーム遅延制御手段７２は、リロードレジスタ７２ａと遅延カウンタ７２ｂとを有する。ビーム遅延制御手段７３は、リロードレジスタ７３ａと遅延カウンタ７３ｂとを有する。ビーム遅延制御手段７４は、リロードレジスタ７４ａと遅延カウンタ７４ｂとを有する。
【００４７】
補正演算部４ａ〜補正手演算部４ｄは、基準周波数Ｆ１のときにビーム１ないしビーム４を基準位置に描画するために遅延サイクル数Ｄ１〜Ｄ４の演算を以下の式に基づいて行う。
Ｄ１＝（ｄ０＋ｄ１１）×（Ｆ２/Ｆ１）-ｄ０＋ｄ２
Ｄ２＝（ｄ０＋ｄ１２）×（Ｆ２/Ｆ１）-ｄ０＋ｄ２
Ｄ３＝（ｄ０＋ｄ１３）×（Ｆ２/Ｆ１）-ｄ０＋ｄ２
Ｄ４＝（ｄ０＋ｄ１４）×（Ｆ２/Ｆ１）-ｄ０＋ｄ２
【００４８】
その遅延サイクル数Ｄ１は遅延サイクル信号Ｓ３としてリロードレジスタ７１ａにロードされ、その遅延サイクル数Ｄ２は遅延サイクル信号Ｓ３としてリロードレジスタ７２ａにロードされ、その遅延サイクル数Ｄ３は遅延サイクル信号Ｓ３としてリロードレジスタ７３ａにロードされ、その遅延サイクル数Ｄ４は遅延サイクル信号Ｓ３としてリロードレジスタ７４ａにロードされる。
【００４９】
この実施例３によれば、遅延調整サイクル数ｄ２を「０」に設定すると、基準周波数Ｆ１とは異なる動作周波数Ｆ２に周波数を設定したときでも、各ビーム毎に基準周波数Ｆ１における描画開始位置と同じ開始位置から描画を開始させることができる。
すなわち、調整時には、基準周波数情報設定手段８に基準周波数（描画クロック周波数）Ｆ１を設定し、動作周波数情報設定手段９に動作周波数（描画クロック周波数）Ｆ２を設定し、遅延調整サイクル数設定手段１２の遅延調整サイクル数ｄ２を「０」に設定し、各ビーム１基準遅延サイクル数設定手段１３〜１６に設定することにより、各ビーム１〜４をそれぞれ異なる適正な描画開始位置となるようにすることができる。
この調整により決定した基準周波数情報設定手段８、固有遅延サイクル数設定手段１０、ビーム１基準遅延サイクル数設定手段１３〜１６による設定値を初期値として各遅延サイクル数設定手段４の補正演算部４ａ〜４ｄに設定する。
【００５０】
マルチビームを発生する半導体レーザ等の光源部を描画装置本体の光学系保持部材に取り付ける際の取付け誤差等によりマルチビームの描画位置の調整が必要な場合には、遅延調整サイクル数ｄ２の値を変更することにより、この遅延調整サイクル数ｄ２の値が共通加算された遅延サイクル数Ｄ１〜Ｄ４に対応する遅延サイクル信号Ｓ３が各リロードレジスタ７１ａ〜７４ａにそれぞれリロードされる。従って、各マルチビームは、遅延調整サイクル数ｄ２を調整することにより同量の遅延時間だけ、すなわち、同量だけ描画開始位置を調節できる。
【００５１】
また、マルチビーム毎に遅延サイクル数ｄ１１〜ｄ１４が異なる場合には、基準遅延サイクル数ｄ１１〜ｄ１４をあらけじめ計算又は測定により求めて設定できるので、マルチビーム毎に描画開始位置が異なる場合でも、かつ、基準周波数Ｆ１を変更した場合でも、各ビーム毎に描画開始位置を自動的に基準周波数変更前の描画開始位置と同一箇所に設定できる。
【００５２】
なお、マルチビームの描画開始位置を＋方向ではなく、−方向に調整したい場合には、遅延サイクル数Ｄ１〜Ｄ４の初期値が＋側となるようにして光学保持部材に光源部を取付け、遅延調整サイクル数ｄ２により減算する補正を行うことにすれば良い。
【００５３】
（実施例４）
図８、図９は本発明の描画装置に係る実施例４についての説明図であって、マルチ光ビームを利用して感光体ドラム１に画する描画装置に適用した別の例を示すブロック図である。
この実施例４では、描画クロック生成手段２は、ビーム１〜ビーム４に対応して描画クロック信号Ｓ１１〜Ｓ１４を出力する。
【００５４】
描画クロック信号Ｓ１１はビーム遅延制御手段７１と描画データ１出力手段５ａとに入力されている。描画クロック信号Ｓ１２はビーム遅延制御手段７２と描画データ２出力手段５ｂとに入力されている。描画クロック信号Ｓ１３はビーム遅延制御手段７３と描画データ３出力手段５ｃとに入力されている。描画クロック信号Ｓ１４はビーム遅延制御手段７４と描画データ４出力手段５ｄとに入力されている。
【００５５】
基準周波数設定手段８は、ビーム１基準周波数情報設定手段８１と、ビーム２基準周波数情報設定手段８２と、ビーム３基準周波数情報設定手段８３と、ビーム４基準周波数情報設定手段８４とから構成されている。
動作周波数情報設定手段９は、ビーム１動作周波数情報設定手段９１と、ビーム２動作周波数情報設定手段９２と、ビーム３動作情報設定手段９３と、ビーム４動作周波数情報設定手段９４とから構成されている。
【００５６】
補正演算部４ａには、図９に示すように、ビーム１基準周波数情報設定手段８１の基準周波数Ｆ１１と、ビーム１動作周波数情報設定手段９１の動作周波数Ｆ２１と、ビーム１基準遅延サイクル数設定手段１３の遅延サイクル数ｄ１１と、固有遅延サイクル数設定手段１０の固有遅延サイクル数ｄ０と、遅延調整サイクル数設定手段１２の遅延調整サイクル数ｄ２とが入力されている。
【００５７】
補正演算部４ｂには、ビーム２基準周波数情報設定手段８２の基準周波数Ｆ１２と、ビーム２動作周波数情報設定手段９２の動作周波数Ｆ２２と、ビーム２基準遅延サイクル数設定手段１４の遅延サイクル数ｄ１２と、固有遅延サイクル数設定手段１０の固有遅延サイクル数ｄ０と、遅延調整サイクル数設定手段１２の遅延調整サイクル数ｄ２とが入力されている。
【００５８】
補正演算部４ｃには、ビーム３基準周波数情報設定手段８３の基準周波数Ｆ１３と、ビーム３動作周波数情報設定手段９３の動作周波数Ｆ２３と、ビーム３基準遅延サイクル数設定手段１５の遅延サイクル数ｄ１３と、固有遅延サイクル数設定手段１０の固有遅延サイクル数ｄ０と、遅延調整サイクル数設定手段１２の遅延調整サイクル数ｄ２とが入力されている。
【００５９】
補正演算部４ｄには、ビーム４基準周波数情報設定手段８４の基準周波数Ｆ１４と、ビーム４動作周波数情報設定手段９４の動作周波数Ｆ２４と、ビーム４基準遅延サイクル数設定手段１６の遅延サイクル数ｄ１４と、固有遅延サイクル数設定手段１０の固有遅延サイクル数ｄ０と、遅延調整サイクル数設定手段１２の遅延調整サイクル数ｄ２とが入力されている。
【００６０】
補正演算部４ａ〜補正演算部４ｄは、下記に示す演算を行って、その演算結果としての遅延サイクル数Ｄ１〜Ｄ４に対応する遅延サイクル信号Ｓ３が各リロードレジスタ７１ａ〜７４ａにそれぞれリロードされる。
【００６１】
Ｄ１＝（ｄ０＋ｄ１１）×（Ｆ２/Ｆ１）-ｄ０＋ｄ２
Ｄ２＝（ｄ０＋ｄ１２）×（Ｆ２/Ｆ１）-ｄ０＋ｄ２
Ｄ３＝（ｄ０＋ｄ１３）×（Ｆ２/Ｆ１）-ｄ０＋ｄ２
Ｄ４＝（ｄ０＋ｄ１４）×（Ｆ２/Ｆ１）-ｄ０＋ｄ２
その他の構成は、実施例３と同様である。
【００６２】
この実施例４によれば、各ビーム毎に基準周波数Ｆ１１〜Ｆ４が異なっている場合に、基準周波数Ｆ１１ないしＦ１４を個別に変更した場合でも、変更後の描画開始位置を自動的に変更前の描画開始位置に自動調整することができる。その他の作用、効果は、実施例３と同様である。
（実施例５）
【００６３】
図１０は、発明の描画装置に係る実施例４についての説明図であって、マルチ光ビームを利用して感光体ドラム１に画する描画装置に適用した更に別の例を示すブロック図である。
【００６４】
この図１０においては、遅延調整サイクル数設定手段１２は、ビーム１遅延調整サイクル数設定手段１２１、ビーム２遅延調整サイクル数設定手段１２２、ビーム３遅延調整サイクル数設定手段１２３、ビーム４遅延調整サイクル数設定手段１２４から構成されている。
【００６５】
そのビーム１遅延調整サイクル数設定手段１２１は、遅延調整サイクル数ｄ２１を補正演算部４ａに向けて出力する。そのビーム２遅延調整サイクル数設定手段１２２は、遅延調整サイクル数ｄ２２を補正演算部４ｂに向けて出力する。
【００６６】
そのビーム３遅延調整サイクル数設定手段１２３は、遅延調整サイクル数ｄ２３を補正演算部４ｃに向けて出力する。そのビーム４遅延調整サイクル数設定手段１２４は、遅延調整サイクル数ｄ２４を補正演算部４ｄに向けて出力する。
【００６７】
その補正演算部４ａ〜補正演算部４ｄは、下記演算式に基づいて演算を行う。
Ｄ１＝（ｄ０＋ｄ１１）×（Ｆ２/Ｆ１）-ｄ０＋ｄ２１
Ｄ２＝（ｄ０＋ｄ１２）×（Ｆ２/Ｆ１）-ｄ０＋ｄ２２
Ｄ３＝（ｄ０＋ｄ１３）×（Ｆ２/Ｆ１）-ｄ０＋ｄ２３
Ｄ４＝（ｄ０＋ｄ１４）×（Ｆ２/Ｆ１）-ｄ０＋ｄ２４
その他の構成は実施例４と同様である。
【００６８】
この実施例５によれば、ビーム１遅延サイクル設定手段１２１〜ビーム４遅延調整サイクル設定手段１２４により設定した遅延設定サイクル数ｄ２１〜ｄ２４を調整することにより、動作周波数Ｆ２１〜Ｆ２４を個別に変更した場合でも、各ビーム毎に描画開始位置を微調整することができる。
【００６９】
なお、描画クロック生成手段２の描画クロック周波数の変更については、公知の技術を用いることができるので、その説明は割愛する。
また、補正の演算式は、描画装置によって、その演算式が変わるので、実施例１ないし実施例５で説明したものに限られない。
【符号の説明】
【００７０】
２…描画クロック生成手段
３…トリガ信号検出手段
４…遅延サイクル数設定手段
５…描画データ出力手段
６…光ビーム走査手段
７…ビーム遅延制御手段
８…基準周波数情報設定手段
９…動作周波数情報設定手段
１０…固有遅延サイクル数設定手段
１１…基準遅延サイクル数設定手段
【先行技術文献】
【特許文献】
【００７１】
【特許文献１】特許第３９４８６４５号
【特許文献２】特許第３６０００２４号
【特許文献３】特許第３６４５６８３号
【特許文献４】特許第３３６１６０３号
【図１】
2015058560.tif 000003
【図２】
2015058560.tif 000004
【図３】
2015058560.tif 000005
【図４】
2015058560.tif 000006
【図５】
2015058560.tif 000007
【図６】
2015058560.tif 000008
【図７】
2015058560.tif 000009
【図８】
2015058560.tif 000010
【図９】
2015058560.tif 000011
【図１０】
2015058560.tif 000012